(57)【特許請求の範囲】
【請求項１】
エプロンの下端部で反転自在となる帯状体をエプロンの裏面側に設け、帯状体をエプロンの表面側に反転させるとポケットが形成されるベビー用エプロンにおいて、
帯状体は、エプロンの裏面側に重合された下端部から両側の縁部にかけて接合した接合部が形成され、帯状体をエプロンの表面側に反転させると、ポケットが形成されると共に、ポケット内部に接合部が折り込まれ、該接合部を介してポケットとエプロンとに間隙が形成され、
エプロンの表面側に図案を設けると共に、帯状体の裏面側に図案を設け、エプロンの表面側にポケットを形成すると、ポケットの図案とエプロンの図案とが重なって立体的な図案が表示されるように構成したことを特徴とするベビー用エプロン。
【請求項２】
前記エプロンは、透明又は半透明なＥＶＡ樹脂製の表シートと、綿製の裏生地との二層構成で、前記エプロンの図案を裏生地の表面に形成した請求項１記載のベビー用エプロン。
【請求項３】
前記帯状体は、透明又は半透明なＥＶＡ樹脂にて形成され、前記ポケットを形成した際に、前記ポケットの表面に前記図案が表示されるように構成した請求項１記載のベビー用エプロン。
【請求項４】
前記ポケットの開口上縁部に沿って折返し部が形成され、該折返し部の内部に中空部が形成された請求項１又は３記載のベビー用エプロン。
【発明の詳細な説明】
【技術分野】
【０００１】
本発明は、主に乳幼児が食事をする際に使用するベビー用食事エプロンに係り、エプロンの裏側に配した帯状体を表側に反転すると立体的なポケットが形成されると共に、このポケットとエプロンとで立体的な図案が表示されるベビー用食事エプロンに関するものである。
【背景技術】
【０００２】
従来、この種のエプロンとして、例えば特許文献１に記載の乳幼児用エプロンがある。このエプロンは、エプロンの下端部を延長してテーブル表面に吸着する部位を設け、エプロンをテーブル上に広げて使用するように構成したものである。そうすると、乳幼児が食べこぼした場合に、エプロンのたるみがこれを受ける構造である。
【０００３】
また、特許文献２に記載のエプロンは、エプロンの裏側から表側に反転して形成する立体的なポケット部を備えたもので、更に、このポケット部に設けた連結具にシート部材を着脱自在に連結し、連結したシート部材をテーブル表面に固定する吸盤を設けた構造である。この結果、液体をこぼしてしまったような場合でもポケット部で受けることができるようにしている。
【先行技術文献】
【特許文献】
【０００４】
【特許文献１】特開２０００−２２００１５号公報
【特許文献２】実用新案登録第３１８０１９２号公報
【発明の概要】
【発明が解決しようとする課題】
【０００５】
ところが、従来の乳幼児用エプロンのごとく、エプロンの下端部がテーブル上に固定されているものでは、使用時のエプロンが乳幼児の動きに追随することは困難であった。特に、乳幼児は食事中でもじっとしていることが少なく、上半身を左右に回転させたり前後に動かしたりして動くことが多い。そのため、エプロンの下端部をテーブルに固定すると、エプロンが乳幼児の動きに追随することができずにテーブル固定部が外れる虞があった。
【０００６】
また、特許文献２では、エプロンの下端部にポケット部を設けることにより、液体をキャッチする構成にしているが、このポケット部にシート部材を連結してテーブル表面に固定するので、乳幼児の動きに伴ってこのポケットの形状も常に変形することになる。そのため、動きながらこぼした液体等を確実にキャッチすることは困難である。
【０００７】
そこで本発明は上述の課題を解消すべく案出されたもので、乳幼児の動きに追随して食べこぼしや飲み物等をキャッチすることができ、しかも、ポケットを形成する際に、立体的な図案が突然表れるベビー用エプロンの提供を目的とするものである。
【課題を解決するための手段】
【０００８】
上述の目的を達成すべく本発明における第１の手段は、エプロン１の下端部で反転自在となる帯状体２をエプロン１の裏面側に設け、該帯状体２をエプロン１の表面側に反転させるとポケット３が形成されるベビー用エプロンにおいて、エプロン１の裏面側に重合された下端部から両側の縁部にかけて接合した接合部２Ａが形成され、帯状体２をエプロン１の表面側に反転させると、ポケット３が形成されると共に、ポケット３内部に接合部２Ａが折り込まれ、該接合部２Ａを介してポケット３とエプロン１とに間隙が形成され、エプロン１に図案１ａを設けると共に、帯状体２に図案３ａを設け、エプロン１の表面側にポケット３を形成すると、ポケット３の図案３ａとエプロンの図案１ａとが重なって立体的な図案が表示されるように構成したことにある。
【０００９】
第２の手段の前記エプロン１は、透明又は半透明なＥＶＡ樹脂製の表シート１Ａと綿製の裏生地１Ｂとの二層構成で、前記エプロン１の図案１ａを裏生地１Ｂの表面に形成している。
【００１０】
第３の手段の前記帯状体２は、透明又は半透明なＥＶＡ樹脂にて形成され、前記ポケット３を形成した際に、前記ポケット３の表面に前記図案３ａが表示されるものである。
【００１１】
第４の手段は、前記ポケット３の開口上縁部に沿って折返し部３Ａが形成され、該折返し部３Ａの内部に中空部３Ｂが形成されている。
【発明の効果】
【００１３】
本発明の請求項１によると、エプロン１の表面側に図案１ａを設けると共に、帯状体２の裏面側に図案３ａを設け、エプロン１の表面側にポケット３を形成すると、ポケット３の図案３ａとエプロンの図案１ａとが重なって立体的な図案が表示されるように構成したことにより、ポケットを形成する際に、立体的な図案が突然表れるものである。
【００１４】
更に、帯状体２をエプロン１の表面側に反転させると、ポケット３が形成されると共に、接合部２Ａがポケット３の内側に折り込まれ、該接合部２Ａを介してポケット３とエプロン１とに隙間が形成される。したがって、食べこぼし等はポケット３の内部に容易にキャッチすることができる。また、ポケット３内部が汚れた場合、エプロン１の裏面側に帯状体２を戻すことで、簡単に清掃することができる。しかも、ポケット３を形成していない状態の帯状体２は、エプロン１の裏側に重なっているだけなので、嵩張らず収納等に便利である。また、このポケット３は、常にエプロン１と一体であるから、乳幼児の動きに追随して食べこぼしや飲み物等をキャッチすることができる。
【００１５】
請求項２のように、エプロン１の図案１ａを裏生地１Ｂの表面に形成しているので、エプロンの図案１ａは、透明又は半透明な表シート１Ａを介して表示されることになる。この結果、エプロン１に設けられた図案１ａがポケット３に設けられた図案３ａよりも奥行を感じさせることができ、より効果的な立体効果を奏するものになる。
【００１６】
更に、エプロン１は、表シート１Ａと裏生地１Ｂとの二層で構成され、表シート１Ａを透明又は半透明なＥＶＡ樹脂にて形成し、裏生地１Ｂを綿で形成しているので、優れた弾力性と柔軟性を有する。また、ＥＶＡ樹脂は、環境ホルモンを含まない素材であるから、乳幼児が誤って口に入れても安全である。しかも、ＥＶＡ樹脂は、塩素を含まないので焼却してもダイオキシンが発生せず、リサイクル容易で環境にもやさしいという効果もある。また、裏生地１Ｂの綿は、柔らかで吸湿性に富み洗濯も容易であるから乳幼児に最適である。
【００１７】
請求項３のごとく、帯状体２は、ＥＶＡ樹脂にて形成され、ポケット３を形成した際に、ポケット３の表面に図案３ａが表示されるので、ポケット３と共にクリアなポケット３の図案３ａが表れる。しかも、裏生地１Ｂの図案１ａは透明又は半透明な表シート１Ａを通して表示され、ポケット３の図案３ａはポケット３の表面に直接表示されるので、各図案１ａ、３ａが重なると、奥行きのある立体的な図案１ａ、３ａに感じられるものになる。
【００１８】
請求項４のように、ポケット３の開口上縁部に沿って折返し部３Ａが形成され、該折返し部３Ａの内部に中空部３Ｂが形成されているので、乳幼児が誤ってポケット３の開口上縁部に触れても、この中空部３Ｂが緩衝材となって安全な使用が可能になる。
【００２０】
このように、本発明によると、ポケットを形成する際に、立体的な図案が突然表れ、しかも、乳幼児の動きに追随して食べこぼしや飲み物等をキャッチすることができるなどといった当初の目的を達成した。
【図面の簡単な説明】
【００２１】
【図１】本発明エプロンのポケットの使用前の斜視図である。
【図２】本発明エプロンのポケットの使用時の斜視図である。
【図３】本発明エプロンのポケットの使用前の断面図である。
【図４】本発明エプロンのポケットの使用時の断面図である。
【図５】本発明の一実施例を示す正面図である。
【図６】本発明の分解斜視図である。
【図７】本発明の中空部を示す要部拡大断面図である。
【発明を実施するための形態】
【００２２】
以下、図面を参照して本発明を詳しく説明する。図１に示す本発明エプロンは、エプロン１の裏面側に反転自在となる帯状体２を設けている（図３参照）。この帯状体２をエプロン１の表面側に反転させると（図４参照）、立体的なポケット３が形成される首掛けタイプのエプロン１になる（図２参照）。図示の首掛けタイプは、スナップボタン４を利用している（図５参照）。また、紐や面ファスナーなどを使用した各種の首掛けタイプの選択が可能である。
【００２３】
この帯状体２には図案３ａが設けられており（図６参照）、エプロン１の表面側に折り返してポケット３を形成すると、ポケット３の表面に図案３ａが表示されるようにしている（図２参照）。一方、エプロン１にも図案１ａが設けられている（図１参照）。そして、ポケット３が形成されると、エプロンに設けられた図案１ａにポケット３の図案３ａが重なって立体的な図案が表示されるように構成している（図２参照）。
【００２４】
図示例では、エプロン１に表示した動物の顔の図案１ａに、ポケット３に表示した食べ物の図案３ａが重なって、あたかも動物が食事をしている様子の立体的な図案１ａ、３ａが表示されている（図２参照）。このように、帯状体２を折り返してポケット３を形成すると、突然表出する立体的な図案１ａ、３ａが設けられている。これらの図案１ａ、３ａは、特に食事に関係のある図案としているが、この他、任意の図案に変更することが可能である。
【００２５】
図示のエプロン１は、表シート１Ａと裏生地１Ｂとの二層構成である（図６参照）。表シート１Ａは、防水性を有する透明又は半透明なＥＶＡ樹脂（エチレン酢酸ビニル）にて形成される。裏生地１Ｂは、肌触りの良い綿で形成される。エプロン１は、これら表シート１Ａと裏生地１Ｂとを重ね合わせて形成されるもので、エプロン１の図案１ａは、裏生地１Ｂの表面に形成している。そうすると、表シート１Ａを透かして裏生地１Ｂの図案１ａが見える状態になる（図１参照）。
【００２６】
帯状体２は、エプロン１の表シート１Ａと同様に、透明又は半透明なＥＶＡ樹脂にて形成され、エプロン１の裏側、すなわち、裏生地１Ｂの裏側に重ねられている（図３参照）。そのため、エプロン１を首に掛けたときには、この帯状体２はエプロン１の裏側に隠れている（図１参照）。そして、この帯状体２をエプロン１の表面側に反転してポケット３を形成した際に、このポケット３の表面に図案３ａが表示されるように設けたものである（図２参照）。
【００２７】
図示の帯状体２には、折返し部３Ａを形成している（図６参照）。そして、帯状体２を折り返してポケット３形成した際に、このポケット３の開口上縁部に沿って折返し部３Ａが表出する（図４参照）。更に、この折返し部３Ａの内部に中空部３Ｂを形成している（図７参照）。この中空部３Ｂは、ポケット３の開口上縁部に沿って形成されるので、乳幼児の手が触れた場合の安全性を高めている。
【００２８】
また、図示の帯状体２は、エプロン１の裏面側に重合した生地の下端部から両側の縁部にかけて接合する接合部２Ａが設けられている（図６参照）。そして、この帯状体２をエプロン１の表側に反転させると、ポケット３が形成されると共に、この接合部２Ａがポケット３の内部に折り込まれるものである（図４参照）。その結果、接合部２Ａを介してポケットとエプロンとに間隙が形成された立体的なポケット３になり、食べこぼしのキャッチが容易になる。
【００２９】
尚、本発明の実施例は図示例に限られるものではなく、例えば、エプロン１は単層でも良く、また表シート１Ａや裏生地１Ｂの素材や形状の変更も可能である。更に、帯状体２の素材や形状を変更しても良い。
【符号の説明】
【００３０】
１  エプロン
１Ａ  表シート
１ａ  図案
１Ｂ  裏生地
２  帯状体
２Ａ  接合部
３  ポケット
３Ａ  折返し部
３Ｂ  中空部
３ａ  図案
４  スナップボタン
【要約】
【課題】ポケット形成と共に立体的な図案が表れ、乳幼児の動きに追随して食べこぼし等をキャッチするベビー用食事エプロンを提供する。
【解決手段】エプロン１の下端部で反転自在となる帯状体２をエプロン１の裏面側に設ける。該帯状体２をエプロン１の表面側に反転させて立体的なポケット３を形成する。エプロン１に図案１ａを設ける。帯状体２に図案３ａを設ける。エプロンの図案１ａとポケット３の図案３ａとが重なるように構成する。重なった図案１ａ、３ａで立体的な図案が表示されるように構成する。
【選択図】  図１【図１】
0006923983.tif 000002
【図２】
0006923983.tif 000003
【図３】
0006923983.tif 000004
【図４】
0006923983.tif 000005
【図５】
0006923983.tif 000006
【図６】
0006923983.tif 000007
【図７】
0006923983.tif 000008